(57)【要約】【課題】  外部から画像データを入力する外部Ｉ／Ｆと、記録媒体上に形成された画像を読み取るセンサを備えた画像形成装置において、迅速で適切な画像の良否判定を行い、装置を適切に制御可能とする。【解決手段】  外部から画像データを入力する外部Ｉ／Ｆ１０１と、外部から入力された画像データを変換する画像データ変換部１０７と、画像データ変換部１０７の出力を記憶する画像メモリ１０８と、記録媒体が画像転写後に搬送される搬送路上に配置され光電変換により転写画像をビットマップデータとして読み取るセンサ１０９と、センサ１０９の出力を第１の入力とし、画像メモリ１０８の出力を第２の入力とする画像比較部１１１とを備え、画像比較部１１１は、前記第１、第２の入力に所定以上の差があるときにエラー信号を出力する。【選択図】        図１
2005297385.tif 000002
【特許請求の範囲】
【請求項１】
一様に帯電した感光体上に外部より入力された画像データに基づいて変調されたレーザ光を照射することにより静電潜像を形成した後、該静電潜像にトナーを供給することで前記感光体上にトナー画像を形成し、その後に記録媒体供給部より搬送された記録媒体に前記トナー画像を転写して該記録媒体上に画像を形成する画像形成装置において、
前記外部から入力された画像データを変換する画像データ変換手段と、
前記画像データ変換手段の出力を記憶する第１の記憶手段と、
記録媒体が画像転写後に搬送される搬送路上に配置され光電変換により転写画像をビットマップデータとして読み取る画像読み取り手段と、
前記画像読み取り手段の出力を第１の入力とし、前記第１の記憶手段の出力を第２の入力とするデータ比較手段と、を備え、
前記データ比較手段は、前記第１、第２の入力に所定以上の差があるときにエラー信号を出力することを特徴とする画像形成装置。
【請求項２】
請求項１に記載の画像形成装置において、
前記画像読み取り手段は、複数の光電センサが列状に配列され、個々の光電センサ出力を順次読み出すことが可能な光電センサアレイが記録媒体搬送方向と垂直に配置されていることを特徴とする画像形成装置。
【請求項３】
請求項２に記載の画像形成装置において、
前記画像データ変換手段は、前記画像データの解像度を前記画像読み取り手段の解像度と同一にすることを特徴とする画像形成装置。
【請求項４】
請求項１に記載の画像形成装置において、
前記画像データ変換手段は、前記画像データの濃度レベルを前記画像読み取り手段の濃度レベルと同一にすることを特徴とする画像形成装置。
【請求項５】
請求項１に記載の画像形成装置において、
前記画像データ変換手段は、前記画像データの領域を前記画像読み取り手段の読み取り領域と同一にすることを特徴とする画像形成装置。
【請求項６】
請求項１に記載の画像形成装置において、
前記画像データ変換手段は、前記画像データを画像形成条件に基づいて変換することを特徴とする画像形成装置。
【請求項７】
一様に帯電した感光体上に外部より入力された画像データに基づいて変調されたレーザ光を照射することにより静電潜像を形成した後、該静電潜像にトナーを供給することで前記感光体上にトナー画像を形成し、その後に記録媒体供給部より搬送された記録媒体に前記トナー画像を転写して該記録媒体上に画像を形成する画像形成装置において、
前記外部から入力された画像データを変換する画像データ変換手段と、
前記画像データ変換手段の出力を記憶する第１の記憶手段と、
記録媒体上のプレプリントパターンを記憶しておく第２の記憶手段と、
前記第１の記憶手段の出力と第２の記憶手段の出力の論理和をとる加算手段と、
記録媒体が画像転写後に搬送される搬送路上に配置され、光電変換により転写画像をビットマップデータとして読み取る画像読み取り手段と、
前記画像読み取り手段の出力を第１の入力とし、前記加算手段の出力を第２の入力とするデータ比較手段と、を備え、
前記データ比較手段は、前記第１、第２の入力に所定以上の差があるときにエラー信号を出力することを特徴とする画像形成装置。
【請求項８】
請求項７に記載の画像形成装置において、
前記画像読み取り手段は、複数の光電センサが列状に配列され、個々の光電センサ出力を順次読み出すことが可能な光電センサアレイが記録媒体搬送方向と垂直に配置されていることを特徴とする画像形成装置。
【請求項９】
請求項８に記載の画像形成装置において、
前記画像データ変換手段は、前記画像データの解像度を前記画像読み取り手段の解像度と同一にすることを特徴とする画像形成装置。
【請求項１０】
請求項７に記載の画像形成装置において、
前記画像データ変換手段は、前記画像データの濃度レベルを前記画像読み取り手段の濃度レベルと同一にすることを特徴とする画像形成装置。
【請求項１１】
請求項７に記載の画像形成装置において、
前記画像データ変換手段は、前記画像データの領域を前記画像読み取り手段の読み取り領域と同一にすることを特徴とする画像形成装置。
【請求項１２】
請求項７に記載の画像形成装置において、
前記画像データ変換手段は、前記画像データを画像形成条件に基づいて変換することを特徴とする画像形成装置。
【発明の詳細な説明】
【技術分野】
【０００１】
本発明は、外部機器とのインタフェースを有し、該外部機器から入力される画像情報に基づいて記録媒体に画像を形成する画像形成装置に関し、特にその画像形成の良否判定に関するものである。
【背景技術】
【０００２】
従来、この種の画像形成装置、例えばディジタルプリンタでは外部機器とのインタフェースを介して画像データを受け取りレーザ光を変調して感光体上に静電像を形成し、該静電像にトナーを供給してトナー画像を形成した後、該トナー画像を紙などの記録媒体上に転写して画像を形成している。そのため、画像データ転送時にデータが欠落したりあるいは途中での画像データ処理によって使用者の意図しない画像形成結果となることがある。また、この画像形成上動作の異常が生じた場合、形成された画像上に白抜けや汚れ、トナーの飛び散りなどによる画像の劣化が生じることがあった。
【０００３】
そこでこの画像形成装置に記録媒体上に形成された後の画像を読み取るセンサを用紙搬送路上に設け、入力画像データとセンサ出力を比較することで画像の良否を判定する装置が提案されている（例えば、特許文献１参照）。
【特許文献１】特開２０００−０１０４４３号公報
【発明の開示】
【発明が解決しようとする課題】
【０００４】
しかしながら、前述の従来例においては画像読み取り後に読み取りデータを元画像データの形式に一致するように変換して比較するため判定するまでの待ち時間が長くなり、ひいては単位時間あたりの印刷枚数が少なくなるという問題があった。
【０００５】
さらに、昨今、これら画像形成装置において使用する記録媒体上にあらかじめデータ入力枠や装飾などを印刷した印刷媒体（プレプリント紙）が使用される場合が増加し、これらのプレプリント紙を使用した場合でも画像の良否判定を実現することがこの種の装置の課題とされている。
【０００６】
本発明は、このような状況のもとでなされたもので、記録媒体上に形成された画像を読み取るセンサを設けた画像形成装置において、迅速で適切な画像の良否判定を行い、判定結果により装置を適切に制御可能とすることを課題とするものである。
【課題を解決するための手段】
【０００７】
前記課題を解決するため、本発明では、画像形成装置を次の（１）ないし（１２）のとおりに構成する。
【０００８】
（１）一様に帯電した感光体上に外部より入力された画像データに基づいて変調されたレーザ光を照射することにより静電潜像を形成した後、該静電潜像にトナーを供給することで前記感光体上にトナー画像を形成し、その後に記録媒体供給部より搬送された記録媒体に前記トナー画像を転写して該記録媒体上に画像を形成する画像形成装置において、
前記外部から入力された画像データを変換する画像データ変換手段と、
前記画像データ変換手段の出力を記憶する第１の記憶手段と、
記録媒体が画像転写後に搬送される搬送路上に配置され光電変換により転写画像をビットマップデータとして読み取る画像読み取り手段と、
前記画像読み取り手段の出力を第１の入力とし、前記第１の記憶手段の出力を第２の入力とするデータ比較手段と、を備え、
前記データ比較手段は、前記第１、第２の入力に所定以上の差があるときにエラー信号を出力する画像形成装置。
【０００９】
（２）前記（１）に記載の画像形成装置において、
前記画像読み取り手段は、複数の光電センサが列状に配列され、個々の光電センサ出力を順次読み出すことが可能な光電センサアレイが記録媒体搬送方向と垂直に配置されている画像形成装置。
【００１０】
（３）前記（２）に記載の画像形成装置において、
前記画像データ変換手段は、前記画像データの解像度を前記画像読み取り手段の解像度と同一にする画像形成装置。
【００１１】
（４）前記（１）に記載の画像形成装置において、
前記画像データ変換手段は、前記画像データの濃度レベルを前記画像読み取り手段の濃度レベルと同一にする画像形成装置。
【００１２】
（５）前記（１）に記載の画像形成装置において、
前記画像データ変換手段は、前記画像データの領域を前記画像読み取り手段の読み取り領域と同一にする画像形成装置。
【００１３】
（６）前記（１）に記載の画像形成装置において、
前記画像データ変換手段は、前記画像データを画像形成条件に基づいて変換する画像形成装置。
【００１４】
（７）一様に帯電した感光体上に外部より入力された画像データに基づいて変調されたレーザ光を照射することにより静電潜像を形成した後、該静電潜像にトナーを供給することで前記感光体上にトナー画像を形成し、その後に記録媒体供給部より搬送された記録媒体に前記トナー画像を転写して該記録媒体上に画像を形成する画像形成装置において、
前記外部から入力された画像データを変換する画像データ変換手段と、
前記画像データ変換手段の出力を記憶する第１の記憶手段と、
記録媒体上のプレプリントパターンを記憶しておく第２の記憶手段と、
前記第１の記憶手段の出力と第２の記憶手段の出力の論理和をとる加算手段と、
記録媒体が画像転写後に搬送される搬送路上に配置され、光電変換により転写画像をビットマップデータとして読み取る画像読み取り手段と、
前記画像読み取り手段の出力を第１の入力とし、前記加算手段の出力を第２の入力とするデータ比較手段と、を備え、
前記データ比較手段は、前記第１、第２の入力に所定以上の差があるときにエラー信号を出力する画像形成装置。
【００１５】
（８）前記（７）に記載の画像形成装置において、
前記画像読み取り手段は、複数の光電センサが列状に配列され、個々の光電センサ出力を順次読み出すことが可能な光電センサアレイが記録媒体搬送方向と垂直に配置されている画像形成装置。
【００１６】
（９）前記（８）に記載の画像形成装置において、
前記画像データ変換手段は、前記画像データの解像度を前記画像読み取り手段の解像度と同一にする画像形成装置。
【００１７】
（１０）前記（７）に記載の画像形成装置において、
前記画像データ変換手段は、前記画像データの濃度レベルを前記画像読み取り手段の濃度レベルと同一にする画像形成装置。
【００１８】
（１１）前記（７）に記載の画像形成装置において、
前記画像データ変換手段は、前記画像データの領域を前記画像読み取り手段の読み取り領域と同一にする画像形成装置。
【００１９】
（１２）前記（７）に記載の画像形成装置において、
前記画像データ変換手段は、前記画像データを画像形成条件に基づいて変換する画像形成装置。
【発明の効果】
【００２０】
本発明によれば、逐次画像良否判定が可能となり、また変換部を外部入力部直後に備えたことで読み取り後に画像処理を行う必要がなく待ち時間がなくなるので画像形成連続動作時の生産性が向上する。
【００２１】
さらにプレプリント紙に対応できるように形成することで幅広い用紙種類に対応した画像形成良否判定が合理的かつ安価に実現できる。
【発明を実施するための最良の形態】
【００２２】
以下本発明を実施するための最良の形態を、実施例により詳しく説明する。
【実施例１】
【００２３】
図１は、実施例１である“画像形成装置”の概略構成を示す図である。図において、１０１は外部Ｉ／Ｆであり、図示しないコンピュータあるいは原稿読取装置などの外部機器からの画像データＤ１を受けてレーザ制御手段１０２へデータＤ２として送る。１０２は受け取った画像データＤ２にしたがってレーザ１０３を変調駆動して感光体１１８上に画像光を照射する。感光体１１８は帯電手段１０５で一様帯電されているのでレーザ１０３からの照射光により静電潜像が形成される。１０６は現像剤（トナー）格納部で感光体１１８上の潜像にトナーを供給することによりトナー像を形成する。
【００２４】
Ｐは不図示の供給部から搬送された記録媒体としての用紙で、感光体１１８の回転速度と同期した速度で搬送されるので、静電転写手段１１３で感光体１１８上のトナー画像が用紙Ｐ上に転写される。１１７は用紙Ｐ上に画像を固着する定着部であり、１１６は回転ローラで形成される用紙搬送部である。
【００２５】
その後、表面に画像形成された用紙Ｐは画像読み取り手段としてのリニアコンタクトセンサ１０９下を通過するのでセンサ１０９は画像にしたがったアナログ信号Ｓ１を出力する。該信号Ｓ１はアナログ処理部１１０でサンプルホールド、増幅、Ａ／Ｄ変換されてデジタル画像データＤ５となる。
【００２６】
一方、元画像データＤ２は画像データ変換部１０７で画像データＤ３に変換され、記憶手段としての画像メモリ１０８に格納される。前述のアナログ処理部１１０からの画像データＤ５が画像比較部１１１に入力されると同期して画像メモリ１０８からも対応する画像データＤ４が読み出される。比較部１１１はＤ４とＤ５を逐一比較して画像データの不一致を評価する。
【００２７】
その結果、定められた基準以上の画像不一致が検知されると画像比較部１１１はエラー信号Ｓ２を出力する。１１２は用紙分離制御部でエラー信号Ｓ２を受けると制御信号Ｓ３により用紙分離フラッパ１１８を制御してエラーが検知された用紙ＰをＮＧ排出部１１５に排出する。もし画像データの不一致がなければエラー信号Ｓ２も出力されないのでＳ３も出力されず、フラッパ１１８も駆動されずに用紙Ｐは正常排紙部１１４に排出される。
【００２８】
図２は画像データ変換部１０７が画像データ解像度を変換することを説明したチャートである。画像データＤ１が送られてきたとき、画像の一部を拡大して説明すると、Ｄ１，およびＤ２は２０１のようにビットマップデータとして認識される。このデータをデータ変換部１０７で変換したデータＤ３は２０３のようになる。このとき、Ｌ１は図３のａ．のように配置されたコンタクトセンサの画素間距離と等しい主走査解像度であり、Ｌ２は用紙Ｐの搬送速度Ｖと図３のｂ．のようなコンタクトセンサの１ライン読み取り時間Ｔで決まる副走査解像度である。データ変換部１０７はこのデータ２０３を記憶メモリ１０８へ記憶しておく。
【００２９】
一方、データＤ２はレーザ変調部１０２でレーザ光に変換されて、前述したように潜像形成→トナー像形成→用紙Ｐに転写される。こうして用紙Ｐ上に形成された２０１に対応する画像は２０２である。しかし、２０２は画像形成プロセス中でトナーなどによる汚れや、トナーかすれなどにより元データ２０１とは一部異なったものとなる。この用紙Ｐがセンサ１０９部を通過すると順次読み取られ、２０２に対応する部分のアナログ処理部１１０で変換されたデータＤ５は２０４のようになる。
【００３０】
このデータを先のメモリ１０８より読み出したデータＤ４（２０３）と比較部１１１で比較する。２０５は比較手段としての排他論理和ゲートでその出力は２０６のように不一致部のみが抽出される。
【００３１】
したがって比較部１１１ではこの不一致部をカウントして所定の閾値を超えたときにエラー信号Ｓ２を出力することになる。なお、本実施例ではエラー信号Ｓ２を発生すると別の排紙部へ対象紙を排出するようにしたが、操作者へエラーの発生を報知する手段を動作されるようにしてもよい。
【００３２】
以上説明したように、本実施例によれば、画像データの比較の際に、画像データ形式の変換を要せず、迅速で適切な画像の良否判定を行い、判定結果により装置を適切に制御可能とすることができる。
【実施例２】
【００３３】
図４は、実施例２である“画像形成装置”における濃度データ変換の説明図である。本実施例のハードウエアの概略構成は、実施例１と同様なので、図１とその説明を援用する。
【００３４】
本実施例は画像データ変換部１０７で画像濃度レベルを変換する例であり、図４に沿って説明する。
【００３５】
図４−ａは画像データＤ１の濃度Ｐ１が用紙Ｐ上の濃度Ｐ２にて実現される濃度変換カーブである。図４−ｂは用紙Ｐ上の画像が読み取られるとき濃度Ｐ２の画像が濃度データＰ３として読み取られるカーブである。
【００３６】
以上より、元データＤ２で濃度Ｐ１であった画像は用紙Ｐ上に画像形成されセンサ１０９に読み取られるとデータＤ５において濃度Ｐ３になる。ちなみに図４−ａ，ｂは装置の特性や操作者による外部からの濃度設定であらかじめ決定される変換カーブであるので、Ｐ１とＰ３は異なる値になるのが一般的である。
【００３７】
したがってデータ変換部１０７はデータＤ２の濃度がＰ１であったときに前記変換カーブに従い濃度Ｐ３に変換してデータＤ３として出力し、記憶メモリ１０８に記憶する。
【００３８】
続いて実際に画像形成動作が行われることで、センサ１０９からのデータＤ５とメモリ１０８からのデータＤ４が比較部１１１で比較され、画像濃度が期待されるように出力されているかの良否判定が行われる。
【００３９】
なお、本実施例での画像濃度は図で示したような濃度階調変換に限らず、カラーデータが白黒画像形成装置に入力されるような色彩度変換が必要な場合にも適用されるのはもちろんである。
【００４０】
以上説明したように、本実施例によれば、画像データの比較の際に、画像データ形式の変換を要せず、迅速で適切な画像の良否判定を行い、判定結果により装置を適切に制御可能とすることができる。
【実施例３】
【００４１】
図５は実施例３である“画像形成装置”の説明図である。本実施例のハードウエアの概略構成は、実施例１と同様なので、図１とその説明を援用する。本実施例は、画像データ変換部１０７が画像領域を変換する例であり、図５に沿って説明する。
【００４２】
画像データＤ２にしたがって用紙Ｐ上に画像が形成され、センサ１０９配置部を通過するとき、５０３のようにセンサ１０９が配置されていた場合センサは用紙上の全領域を読み取ることができず、５０２のような出力データとなる。この読み取り可能領域は用紙サイズとセンサ１０９の配置位置、読み取り幅Ｗなどからあらかじめ決定することができる。
【００４３】
したがって、画像変換部１０７は元画像データＤ２を５０１のように不要部分を切り落としてメモリ１０８に格納しておく。
【００４４】
続いて実際に画像形成動作が行われることで、５０２と５０１が比較部１１１で比較され、画像情報の欠落や誤りがないかなどの良否判定が行われる。
【００４５】
以上説明したように、本実施例によれば、画像データの比較の際に、画像データ形式の変換を要せず、迅速で適切な画像の良否判定を行い、判定結果により装置を適切に制御可能とすることができる。
【実施例４】
【００４６】
実施例４である“画像形成装置”について説明する。本実施例は、画像形成装置の画像形成特性にしたがって画像データを変換する例である。
【００４７】
前述した実施例で述べたように、この種の画像形成装置は外部からの画像データにしたがってレーザを変調駆動し、感光体上の静電潜像を形成した後トナーを付着させることで画像を形成する。
【００４８】
したがってこの時の感光体の帯電条件、トナーの付着条件、用紙Ｐへの転写条件、あるいは定着手段による定着条件によって画像の形成状態が異なってくる。
【００４９】
図６はこのような画像形成条件によって用紙Ｐ上に形成される画像が元データのメージと異なることの説明図である。（ａ）は細線のデータが太くなってしまうことの説明である。Ｄ２に入力される画像データのビットマップ表現が６０１のように表わせられるとする。
【００５０】
これが、電子写真方式によって用紙Ｐ上に画像として形成されると６０２のように粒状トナーの集まりによって再現されるが、この時の細線の太さはレーザ変調の際のレーザ光量、ビームスポット径あるいは感光体の帯電状態、トナーの粒径や帯電状態によって元データ６０１より太くなってしまう場合がある。
【００５１】
したがって６０２画像をセンサ１０９で読み取るとその読み取り画像データは６０３のように元画像６０１と異なった太さになってしまう。それでそのまま元画像と比較すると不良と判定されてしまうため、レーザ光学系の設計数値や帯電電圧の設定などによって予測可能である前記諸条件にしたがって画像変換手段１０７は比較データＤ３を画像６０４のように変換してメモリ１０８に記憶しておく。
【００５２】
この処理により、実際の画像比較時に比較部１１１は画像６０３と画像６０４を比較することで予測できる画像形成部での変動を排除して画像良否判定することができる。
【００５３】
また（ｂ）のようにトナー径が細かいなどの理由で逆に細線が細くなってしまう場合も同様である。さらに電子写真方式の場合は（ｃ）のように一定以上の面積の高濃度部を形成すると中央にトナー抜けを発生することが知られているがこの場合でも元画像データ６０１−３の面積などから比較データ６０４−３を実際の画像に近くなるように形成しておけばよい。
【００５４】
以上説明したように、本実施例によれば、画像データの比較の際に、画像データ形式の変換を要せず、迅速で適切な画像の良否判定を行い、判定結果により装置を適切に制御可能とすることができる。
【実施例５】
【００５５】
図７は、実施例５である“画像形成装置”の概略構成を示す図である。図１と同一機能部には同一番号が付与してある。
【００５６】
７０１は画像フォームを記憶する第２の記憶メモリ、７０２はアナログ処理部１１０からの出力データの行き先を切り替えるバスＳＷである。さらに図９は本実施例で想定する用紙Ｐの例を示す図である。用紙上にあらかじめ記録枠フォーマットＦが印刷（プレプリント）されている。
【００５７】
図８は画像データの生成される過程を説明したものである。本実施例の動作を図７，図８によって説明する。
【００５８】
まず、本実施例装置は不図示の給紙部に収納されたプレプリント用紙９０１を一部駆動部１１６によって転写部１１３、定着部１１７の順に搬送する。ただし、このとき外部からの画像データＤ１は入力されてないためレーザ１０３による画像形成は開始されないので用紙Ｐにも画像は形成されない。該用紙９０１がセンサ１０９部を通過することで記録枠の読み取りが行われる。
【００５９】
一方、この時ＳＷ７０２はアナログ処理部１１０が第２の記憶メモリ７０１に接続される様にＤ６側に切り替えられており、したがって記憶メモリ７０１内に用紙９０１の記録枠画像データが保存される（ＳＴＥＰ１）。
【００６０】
つぎに通常の画像形成動作はＳＴＥＰ２の手順で実行される。まず、画像データＤ２が外部ＩＦ１０１を介して画像変換部１０７へ入力されると画像変換部１０７内で実施例１から４に記述したような画像変換が行われた後Ｄ３として出力される。Ｄ３はデータ加算部７０３で先にメモリ７０１内に保存された記録枠データと加算されて第１メモリ１０８へ記憶される。
【００６１】
他方、Ｄ２はレーザ制御部１０２、レーザ１０３を介して用紙９０１上に画像を形成する。画像形成後の状態は８０１のようになる。この用紙９０１が定着部１１７を通過後、センサ１０９部を通過すると用紙上の画像データを読み取ってアナログ処理部１１０でデジタル画像データとなる。
【００６２】
このときにはＳＷ７０２はＤ５側に切り替えられて比較部１１１と接続されている。比較部１１１はＤ５より画像データが入力されるのに同期してＤ４を介して比較用画像データ８０２をメモリ１０８から読み出すことにより両者を逐次比較して用紙９０１上の画像良否を判定する。
【００６３】
なお、本実施例においては用紙９０１のメモリ７０１への記憶を比較用センサ１０９を使用して行ったが別個の読み取り部を備えている画像形成装置においてはそちらを使用してもいいのはもちろんである。
【００６４】
さらに対象となる用紙も記録枠フォーマット紙に限らず、センサ１０９をカラーセンサにすれば地肌色を持つような用紙を対象にしてもよい。請求項の「プレプリントパターン」の用語は、プレプリントされた記録枠，地肌色等の総称として用いている。
【００６５】
前述の実施例においては、実施例１から５をそれぞれ別個の実施例として説明しているが、画像変換部の動作としてはいずれか複数の変換を同時に行うことにしてもよいのはもちろんである。
【００６６】
以上説明したように、本実施例によれば、画像データの比較の際に、画像データ形式の変換を要せず、迅速で適切な画像の良否判定を行い、判定結果により装置を適切に制御可能とすることができる。
【図面の簡単な説明】
【００６７】
【図１】実施例１である画像形成装置の構成を示すブロック図
【図２】実施例１における画像照合の説明図
【図３】実施例１における照合用センサの配置および出力波形を示す図
【図４】実施例２における濃度データ変換の説明図
【図５】実施例３における画像領域選択の説明図
【図６】実施例４における画質変動、データ変換の説明図
【図７】実施例５である画像形成装置の構成を示すブロック図
【図８】実施例５におけるデータ記憶と合成、照合の過程の説明図
【図９】実施例５で使用するプレプリント紙の一例を示す図
【符号の説明】
【００６８】
１０２  レーザ制御部
１０３  レーザ
１０７  画像変換部
１０８  第１の記憶メモリ
１０９  リニアイメージセンサ
１１０  アナログ処理部
１１１  比較部
７０１  第２の記憶メモリ
【図１】
2005297385.tif 000003
【図２】
2005297385.tif 000004
【図３】
2005297385.tif 000005
【図４】
2005297385.tif 000006
【図５】
2005297385.tif 000007
【図６】
2005297385.tif 000008
【図７】
2005297385.tif 000009
【図８】
2005297385.tif 000010
【図９】
2005297385.tif 000011